(57)【要約】      （修正有）【課題】トランス酸を極力発生させない水素添加油脂の製造方法を提供する。【解決手段】多価不飽和脂肪酸を含む油脂に対し、ニッケル触媒の存在下で水素添加反応を行なう水素添加油脂の製造方法とし、水素添加反応の温度が６０〜７５℃でありかつ水素添加反応系に対する冷却熱量もしくは水素供給量または両方を調整し、水素添加反応で低下したヨウ素価の１単位当りにおけるトランス酸の発生量が０．２５重量％以下にする。前記調整を行なうには、反応容器７内の温度を感知する温度センサー９および水素の供給路６に接続された圧力センサー１０を設け、これらの温度情報および圧力情報に基づいて制御信号を発信する電子コントローラ１１を設け、この電子コントローラ１１により循環ポンプ１７の動作および流量調整弁１５の動作を制御して反応系Ａに対する冷却熱量および水素供給量を調整可能とした水素添加油脂の製造装置とする。【選択図】図１
2011162744.tif 000002
【特許請求の範囲】
【請求項１】
多価不飽和脂肪酸を含む油脂に対し、ニッケル触媒の存在下で水素添加反応を行なう水素添加油脂の製造方法において、
前記水素添加反応の温度が６０〜７５℃でありかつ前記水素添加反応で低下するヨウ素価の１単位当りの油脂温度上昇率が０．５以下であるように、水素添加反応系に対する冷却熱量もしくは水素供給量または両方を調整することを特徴とする水素添加油脂の製造方法。
【請求項２】
多価不飽和脂肪酸を含む油脂が、牛脂、ラード、鶏脂、魚油、鯨油、パーム油、分別パーム油、大豆油、菜種油、ヒマワリ油、サフラワー油、綿実油およびコーン油から選ばれる１種以上の油脂である請求項１に記載の水素添加油脂の製造方法。
【請求項３】
多価不飽和脂肪酸を含む油脂が、全脂肪酸１００重量％に多価不飽和酸量を３０重量％以下含有する油脂である請求項２に記載の水素添加油脂の製造方法。
【請求項４】
水素供給量の調整が、水素添加反応系に対する水素供給圧力を０．５Ｍｐ以下にする調整である請求項１〜３のいずれかに記載の水素添加油脂の製造方法。
【請求項５】
請求項１〜４のいずれかに記載の水素添加油脂の製造方法において、
水素添加反応で増加するトランス酸の量が、前記水素添加反応で低下するヨウ素価の１単位当り０．２５重量％以下であるように冷却熱量もしくは水素供給量または両方を調整する水素添加油脂の製造方法。
【請求項６】
多価不飽和脂肪酸を含む油脂の供給路および触媒の供給量を調整可能な供給路が接続された耐圧性の反応容器を設け、この反応容器に攪拌装置を付設して攪拌しながら水素添加反応を連続的に行なわせる水素添加油脂の製造装置において、
この製造装置に、前記反応容器内の温度を感知する温度センサーおよびこれに接続された電子制御手段を設け、この電子制御手段により冷却器の冷媒流量を制御して反応容器からの冷却熱量を調整可能としたことを特徴とする水素添加油脂の製造装置。
【請求項７】
請求項６に記載の水素添加油脂の製造装置において、
前記電子制御手段を反応容器への水素供給装置にも接続することにより、前記電子制御手段で冷却器の冷媒流量を制御する主調整に加えて前記水素供給装置の水素供給量を制御する補助調整を可能としたことを特徴とする水素添加油脂の製造装置。
【発明の詳細な説明】
【技術分野】
【０００１】
この発明は、トランス異性体（トランス酸）の生成を抑制した水素添加油脂の製造方法およびその製造装置に関するものである。
【背景技術】
【０００２】
通常、油脂をマーガリンやショートニングに使用する際に、固形脂を原料の一部または大部分に用いる必要がある。固形脂は、パーム油、牛脂、ラード等の天然で固形の油脂の他に、液体の油脂に水素を添加（以下、水添と略す場合がある。）することにより固形状化した、いわゆる硬化油やエステル交換油を用いることが多い。
【０００３】
また、トランス酸は、健康上に問題のあることが喧伝され、消費者はその使用を敬遠する傾向がある。
【０００４】
マーガリン、ショートニング以外にも、例えばフライ油等に対して、その酸化安定性を向上させるために水添する場合があり、この水素添加反応でもトランス酸が生成することを懸念する消費者はそのような油脂の使用を敬遠する傾向があり、特にトランス酸の含量表示がなされる海外では、その傾向は著しい。
【０００５】
従来の水添工程では、耐圧容器に仕込んだ原料油脂にニッケル触媒０．０５〜０．５重量％を加え、上層部の空気を水素に置換し、１２０℃程度に加熱すると、その後は水素添加の反応熱によって１５０〜２００℃程度まで触媒含有の油脂温度は上昇し反応が継続する。
【０００６】
このような水素添加反応の発熱反応では、特に冷却操作をしない限り、ヨウ素価の１単位を低下させる毎に温度は１．６〜１．７℃上昇する。また、油脂１トン当たりヨウ素価の１単位を低下させるためには水素は約１ｍ3必要とされる。水添工程では、吸収された水素量で希望の硬さになったかどうかを判断し、反応を停止して触媒を除去し、必要に応じて脱臭等の操作をして製品とし、これを工業用またはマーガリンやショートニングの原料またはフライ油等の食品に使用している。
【０００７】
因みに、同じ油脂を同じヨウ素価まで水添するとき、選択的に水添した方が一般的に融点は低くなる。また、二重結合に水素の付加する速度の比について、二重結合を２個以上持ついわゆるポリエン酸と１個のモノエン酸との反応速度の差が大きいことを「選択的」な水添反応といい、その差が少ないものを「非選択的」な水添反応という。「選択的」または「非選択的」の違いは相対的なものであり、通常、いずれの水添反応でもトランス化が起こっているが非選択的に水添する方が生成するトランス酸は少ない。
【０００８】
また、実際に食用油の水添による硬化油の製造は、オートクレーブと呼ばれる耐圧容器を用いてバッチ式に製造される場合が多く、耐圧容器は５〜２０トン容量で気密性も保温性も高いものであり、水素圧は常圧〜０．５ＭＰａ程度で反応させている。
【０００９】
トランス脂肪酸含量の低い水素添加油脂の製造方法としては、酸化チタンを担体とするニッケル触媒を用いて工夫した方法が知られている（特許文献１）。
【００１０】
また、圧力を相当に１５０ｐｓｉｇ（重量ポンド毎平方インチ）（＝１．０３ＭＰａ）以上に高くし、温度を１２０〜２４０℃程度にする方法（特許文献２）、また、ニッケル触媒を用いて反応温度を８０〜１３０℃で行う方法（特許文献３）が知られている。
【００１１】
また、周知のニッケル触媒について、活性の高い所定特性であるものを選別して用いることにより、水素添加反応を２０℃以上８０℃未満で行なう硬化油脂の製造方法が開示されている（特許文献４）。同引用文献には、低温での水素添加反応では乳化剤を使用して油脂の融点以下で水素添加を行なうことも開示される。
なお、白金等のレアメタルを触媒として、高圧で反応させると高コストになり実用性が低い。近年硬化油の製造が減少する中で、触媒の供給量も減少しているのが現状である。
【先行技術文献】
【特許文献】
【００１２】
【特許文献１】特開昭  ５３−０９０１８９号公報
【特許文献２】特表平  ０７−５０９７４６号公報
【特許文献３】特開２００６−３２０２７５号公報
【特許文献４】特開２０１０−００１３６６号公報
【発明の概要】
【発明が解決しようとする課題】
【００１３】
しかしながら、特許文献１〜３に記載される方法では、水素添加反応が８０℃以上の高温で行なわれ、その場合に水素添加反応は選択的なものになりやすいため、トランス化の低減を充分にまたは確実に行なうことは容易なことではなかった。
【００１４】
また、特許文献４に記載される水素添加油脂の製造方法では、特定の活性を有するニッケル触媒を採用するにすぎないので、水素添加反応の速度を充分に制御できるものではなく、水素添加反応中に異性化を招く過剰な熱量を供給してしまう可能性がある。また、乳化剤を使用すると、対象の油種が大豆類や菜種油のような中性油に限定され、充分な効果も得られ難い。
【００１５】
このように油脂のマーガリン、ショートニングなどを原料として、固形油脂や酸化安定性を高めることの可能な水素添加技術は、充分に欠点のないものに改良されたものとはなっていない。
すなわち、油脂の水素添加技術は、不安定な油脂の二重結合を部分的に減少させてその可塑性を改良する事や酸化安定性を向上させるという大きな利点があり、さらに所定範囲の融点の調整を可能にするため、マーガリンやショートニングの製造には欠かせない技術であるにもかかわらず、トランス脂肪酸の増加を伴う工程を経るため、水素添加油脂の使用が消費者に敬遠される傾向にある。
【００１６】
前述のトランス脂肪酸が高くなるという欠点さえ克服すれば、水素添加油脂の製造は、天然油脂が持つ特異的なトリアシルグリセロール構造の脂肪酸結合位置を変えることなく、その構成する脂肪酸の二重結合を減少させることで油脂の融点や硬度を任意に変化させることによって、エステル交換油にはない物性が得られるため、利点が大きく極めて有効な技術である。
【００１７】
また、前記したように水素添加油脂は、オートクレーブと呼ばれる耐圧容器を用いて大容量でバッチ式に製造されることが多いが、通常のニッケル触媒を用いて水添が開始されると急激に反応系の温度が上昇するため、通常は１８０℃付近を越えると冷却水で温度上昇を抑えて水素添加反応を継続させている。
しかし、加速度的に上昇する反応温度を一定の範囲内に制御することは、非常に困難であり、いわゆる通常のニッケル触媒を用いた水素添加油脂の水素添加反応を８０℃未満の低温で行なうことは、実際に工業的に行なうことはできなかった。
【００１８】
この発明の課題は、上記した従来の水素添加技術における問題点を解決して、油脂の可塑性や酸化安定性を高めるために多価不飽和脂肪酸を含む様々な油脂に対して水素添加を行なう際に、トランス酸を極力発生させない水素添加油脂の製造方法とすることであり、しかも実用性の高い製造方法または水素添加油脂の製造装置とすることである。
【課題を解決するための手段】
【００１９】
本願の発明者らは、硬化油の製造条件を低温でありかつ従来の予想を超える厳密にコントロールされた条件下で行なうことにより、そしてそれを可能とする装置構造を工夫することによってトランス酸の生成が極めて少ない硬化油の製造方法および装置に係る発明を完成させたものである。
【００２０】
すなわち、前記の課題を解決するために、この発明では、多価不飽和脂肪酸を含む油脂に対し、ニッケル触媒(触媒がニッケル(Ｎｉ)であるものをいう。以下同じ)の存在下で水素添加反応を行なう水素添加油脂の製造方法において、前記水素添加反応で低下するヨウ素価の１単位当りの油脂温度上昇率が０．５以下であり、かつ前記水素添加反応の温度が６０〜７５℃であるように、水素添加反応系に対する冷却熱量もしくは水素供給量または両方を調整する水素添加油脂の製造方法としたのである。
【００２１】
上記した工程からなるこの発明の水素添加油脂の製造方法では、油脂温度の上昇率を可及的に押さえて所定値以下、すなわち０〜０．５になるように水素添加反応の速度を制御し、そのために従来の水添処理温度よりも低温の所定温度の範囲内に制御された条件下で水素添加反応することにより、その反応を非選択的なものとしてトランス化を極めて少なくできる。
【００２２】
このように水素添加反応の速度を充分厳密に制御するには、所定温度条件下で反応させるように、主として水素添加反応系に対する冷却熱量を調整し、それでもなお不十分な場合は冷却熱量の調整と共に、水素供給量の水素供給圧力を０．５Ｍｐ（ゲージ圧）以下に調整することが好ましい。
【００２３】
水素添加反応系の冷却熱量の制御または水素供給量の制御によってヨウ素価の１単位当りの油脂温度上昇率を０．５以下にし、または前記一方の制御では反応速度の制御が不足する場合は、水素供給量と両方で調整して前記油脂温度上昇率および水素添加反応の所定温度範囲に制御することができる。特に、冷却熱量を調整し、それでもなお不十分な場合は、冷却熱量の調整と水素供給量の調整との両方で調整し、前記油脂温度上昇率および水素添加反応の所定温度範囲に制御することが好ましい。
【００２４】
この発明に適用される多価不飽和脂肪酸を含む油脂の例としては、牛脂、ラード（豚脂）、鶏脂、魚油、鯨油、パーム油、分別パーム油、大豆油、菜種油、ヒマワリ油、サフラワー油、綿実油およびコーン油から選ばれる１種以上の油脂である。
この発明に適用される多価不飽和脂肪酸を含む油脂としては、上記した油脂の例において、さらに全脂肪酸１００重量％に多価不飽和酸量を３０重量％以下含有する油脂を採用する。
【００２５】
このような油脂に対して水素添加を行なう際、この水素添加反応系に対する冷却熱量の調整もしくは水素供給量の調整または両調整を行なうことにより、上記したトランス酸を極力発生させない水素添加油脂の製造方法の特徴が充分に発揮される。このような調整は、製造された水素添加油脂が、反応中に低下したヨウ素価の１単位当りにおけるトランス酸の発生量が０．２５重量％以下になるように調整されることである。すなわち水添反応中に異性化に必要な過剰な熱量を供給させないで脂肪酸の異性化を極力抑えるものである。
【００２６】
また、上記したような製造方法に用いることのできる水素添加油脂の製造装置は、多価不飽和脂肪酸を含む油脂の供給路および触媒の供給量を調整可能な供給路が接続された耐圧性の反応容器を設け、この反応容器に攪拌装置を付設して攪拌しながら水素添加反応を連続的に行なわせる水素添加油脂の製造装置とし、この製造装置に前記反応容器内の温度を感知する温度センサーおよびこれに接続された電子制御手段を設け、この電子制御手段により冷却器の水量などの冷媒流量を制御して反応容器からの冷却熱量を調整可能とした水素添加油脂の製造装置を採用することができる。
【００２７】
反応容器内の温度を感知する温度センサーからの温度情報を電子制御手段に入力し、これから発信される温度制御情報を冷却器の循環ポンプに入力してその動作を制御するので、反応容器内の温度に応じて、予め決められた適切な反応容器の冷却熱量に調整可能であり、これにより水素添加反応の温度を、例えば６０〜７５℃とし、かつ低下するヨウ素価の１単位当りの油脂温度上昇率が０．５以下、すなわち０〜０．５である特定の条件に調整できる。
【００２８】
またこのような水素添加油脂の製造装置において、前記電子制御手段を反応容器への水素供給装置に接続し、前記電子制御手段で冷却器の冷媒流量を制御する主調整に加えて前記水素供給装置の水素供給量を制御する補助調整を可能とすることもできる。
【００２９】
このように電子制御手段で冷却器の冷媒流量および水素供給装置を制御すれば、反応容器内の温度および水素圧を精密に制御することが可能となり、トランス酸を極力発生させないで水素添加油脂を製造することができる。
【発明の効果】
【００３０】
この発明は、水素添加反応の温度が所定範囲でありかつ前記水素添加反応で低下するヨウ素価の１単位当りの油脂温度上昇率を所定値以下であるように、冷却熱量およびそれでもなお不十分な場合は水素供給量と両方で調整して水素添加油脂を製造するので、多価不飽和脂肪酸を含む様々な油脂に対して、トランス酸を極力発生させない水素添加油脂の製造方法となり、しかも実用性の高い製造方法となるという利点がある。
【００３１】
また、水素添加油脂の製造装置において、前記電子制御手段を反応容器への水素供給装置に接続し、前記電子制御手段で冷却器の水量などの冷媒流量および水素供給装置を制御して冷却熱量を調整し、不十分な場合は冷却器の冷媒流量と水素供給量との両方で調整可能としたので、反応容器内の温度に応じて、予め決められた適切な反応容器の冷却熱量に調整可能であり、またヨウ素価の１単位当りの油脂温度上昇率であるように、水素添加反応の温度を、例えば６０〜７５℃であり、かつヨウ素価の１単位当りの油脂温度上昇率が０．５以下であるように特定の厳密な反応条件に調整でき、これによりトランス酸を極力発生させないで水素添加油脂を製造できる利点がある。
【図面の簡単な説明】
【００３２】
【図１】水素添加油脂の製造装置の概略構成を示す説明図
【発明を実施するための形態】
【００３３】
この発明の水素添加油脂の製造方法およびそれを実施するために使用可能な水素添加油脂の製造装置を以下に、図面を参照しながら説明する。
先ず、多価不飽和脂肪酸を含む油脂に対し、触媒の存在下で水素添加反応を行なう水素添加油脂の製造方法においては、前記水素添加反応の温度が６０〜７５℃でありかつ前記水素添加反応で低下するヨウ素価の１単位当りの油脂温度上昇率が０．５以下であるように、冷却熱量およびそれでもなお不十分な場合は水素供給量と両方で調整する。
【００３４】
ここで、この発明に用いる多価不飽和脂肪酸を含む油脂としては、特に限定せずに採用できる周知の食用油脂であり、前記したように牛脂、ラード、鶏脂、魚油、鯨油等の動物油脂、パーム油、分別パーム油、大豆油、菜種油、ヒマワリ油、サフラワー油、綿実油、コーン油などであり、またはこれらから選ばれる１種以上の油脂も採用できる。
【００３５】
また、この発明では、上記の多価不飽和脂肪酸を含む油脂において、全脂肪酸１００重量％に多価不飽和酸（以下、ポリエン酸と称する場合がある。）量を３０重量％以下含有する油脂であることが好ましく、より好ましくは多価不飽和酸量を２５重量％以下含有する油脂である。代表的なものとしてはパーム油、分別されたパーム油、ラード、牛脂、ハイオレインの菜種油、ヒマワリ油などがあるがこれらに限定されるものではない。
【００３６】
また、この発明に用いる触媒は、硬化油の製造に使用可能な周知なものであってもよい。但し、我国の食品衛生法で認可されている食用油脂の硬化触媒としてニッケル触媒があり、ニッケルのフレーク状のものや安定化ニッケルが使用され、市販品としては、堺化学社製のフレーク状ニッケル触媒のＳＯシリーズ（ＳＯ−７５０、ＳＯ−４５０など）などが挙げられる。
【００３７】
この発明の水素添加油脂の製造方法においては、前記水素添加反応の温度を６０〜７５℃に所定の方法で調整する。なぜなら、６０℃未満の反応温度では、反応速度が極端に遅くなり実用的ではない。７５℃を越える高温ではトランス異性体の増加が大きくなりすぎ、かつまた反応速度が温度に比例して速くなり温度コントロールが困難になって所期の目的を達せられないからである。
【００３８】
また、この発明では、水素添加反応で低下するヨウ素価の１単位当りの油脂温度上昇率が０．５以下であるように所定の方法で調整する。なぜなら、ヨウ素価の１単位当りの油脂温度上昇率が０．５を超える状態では、トランス異性体の増加が大きくなりこの発明の所期の目的を達せられないからである。
【００３９】
また、この発明では、水素添加反応系に対する冷却熱量もしくは水素供給量または両方を調整する。
冷却熱量を調整するには、具体的には反応装置の反応容器中の油温を検出し、それに対応して冷却器の水流量を制御する。その制御能力が限界に近くなる場合は供給する水素を停止して反応自体を制御する。
反応装置を用いて水素供給量を調整するには、反応容器内に通じる管路の水素供給圧力、すなわち反応容器内の水素圧を０．５Ｍｐ（ゲージ圧）以下とし、反応温度を６０〜７５℃、好ましくは６５〜７５℃に調整する。
【００４０】
ここで、水素添加油脂の製造装置の構成およびその使用について説明する。
図１に示すように、水素添加油脂の製造装置は、多価不飽和脂肪酸を含む油脂の供給路１および触媒の供給路２が接続され、かつ熱交換器のコイル状に配管された冷却コイル３およびチリングユニット４を有する冷却器５が付設され、かつ時間当たりの水素供給量を調整可能な水素の供給路６が付設された耐圧性の反応容器７を設け、この反応容器７に攪拌機８を設けて反応系（原料油脂と触媒等の混合物）Ａを攪拌しながら水素添加反応を連続的に行なわせる水素添加油脂の製造装置である。
【００４１】
そして、この製造装置には、反応容器７内の温度を感知する温度センサー９および水素の供給路６に接続された圧力センサー１０を設け、これらの温度情報および圧力情報に基づいて制御信号を発信する電子コントローラ１１（横河電気社製：デジタル指示調節計）を設け、この電子コントローラ１１により循環ポンプ１７の動作および流量調整弁１５の動作を制御して反応系Ａに対する冷却熱量および水素供給量を調整可能とした水素添加油脂の製造装置である。
【００４２】
ここで、前記した原料となる油脂は、図外の計量槽より油脂の供給路１に移送されて反応容器７に引き込まれ、反応容器７内は真空ポンプ１２により充分に減圧された後、油脂は反応開始温度まで加温される。
【００４３】
ニッケル触媒は、触媒ホッパー２ａから投入されて反応容器７内に供給され、次いで攪拌機８により充分に分散される。攪拌機８は、電動モータで駆動され回転する攪拌翼を供えるなどの周知構造のものであり、回転翼の回転速度を上げることにより水素添加反応が開始される。
【００４４】
水添反応に用いる水素は、図外のタンクから水素流量計１３を経由し、さらに水素の供給路６および流量調整弁１５を経由して反応容器７内の水素吹き込み管１６より泡状となって液状の反応系Ａ内に導入される。圧力センサー１０が所定の圧力になると電子コントローラ１１の制御動作により流量調整弁１５が開閉され水素供給量は調整される。また、水素添加反応の進行度合いは、水素カウンター１４により積算され、水素供給量の総量によって確認される。
【００４５】
水素添加反応が開始されると、反応熱による温度上昇を温度センサー９が感知し、電子コントローラ１１の制御により、冷却水などの熱媒体が循環ポンプ１７より冷却コイル３に所要流量だけ供給されて反応温度が制御される。また、循環された冷却水はチリングユニット４で冷却され、冷却水として再使用される。因みにチリングユニット４は、蒸気圧縮装置などを１台の架台に組み込んだ水などの熱媒体の冷却装置である。
【００４６】
また、水などの熱媒体による温度制御が不十分な場合に限って、電子コントローラ１１の制御により水素の流量調整弁を調整して反応に使用される水素の量を減らし、水などの熱媒体による温度制御と連動した複合的な温度制御を行なっても良い。
【００４７】
反応を終了させるには、攪拌機８の回転翼の回転速度を下げることにより水素添加反応は終了され、水素添加された油脂は濾過タンクへと移送される。
【実施例】
【００４８】
［実施例１〜８］
容量２リットルの反応容器（以下、オートクレーブと称する。）に原料油脂１ｋｇを仕込み、フレーク状のニッケル触媒（堺化学株式会社製：ＳＯ−７５０、ＳＯ−４５０）を所定量加えて反応開始温度まで加温した。水素添加反応においては、表１中に示す所定の反応温度範囲内にて反応させるために、オートクレーブのジャケットへ冷却水を流し、表１中に示す反応温度範囲、温度上昇率などの反応条件における水素添加反応を厳密な管理下で行なって硬化油を製造し、得られた硬化油のヨウ素価およびトランス酸含量を表１中に併記した。
【００４９】
なお、ヨウ素価は基準油脂分析試験法２．３．４．１−１９９６ヨウ素価（ウィイス−シクロヘキサン法）により、トランス酸量は、基準油脂分析試験法暫１７−２００７トランス脂肪酸含量（キャピラリーガスクロマトグラフ法）に従い測定した。但し、精製魚油および精製魚油の硬化油のトランス酸含量は、基準油脂分析試験法暫９−２００３孤立トランス異性体（差赤外スペクトル−シクロヘキサン法）に従い測定した。
【００５０】
表中、トランス酸上昇は、水素添加反応で低下するヨウ素価の１単位当りに増加するトランス酸の量を以下の数１の式により算出したものである。
【００５１】
【数１】
2011162744.tif 000003
【００５２】
また、表中に示す油脂温度上昇率とは、ヨウ素価の１単位当りの油脂温度上昇率を示し、その計算式は、以下の数２の式に示される通りである。
【００５３】
【数２】
2011162744.tif 000004
【００５４】
なお、原料油脂としては、精製パーム油（ヨウ素価：５０．８、トランス酸：０．２％）、精製豚脂（ヨウ素価：５９．０、トランス酸：１．４％）、精製魚油（ヨウ素価：１５３．４、トランス酸：２．１％)、精製ハイオレイン菜種油（ヨウ素価：１００．９、トランス酸：０．６％）、精製菜種油（ヨウ素価：１１４.０、トランス酸：１.１％）を用いた。
【００５５】
［比較例１、２］
表１に示す原料油脂１ｋｇを容量２リットルのオートクレーブに仕込み、フレーク状のニッケル触媒（堺化学株式会社製：ＳＯ−７５０）を所定量加えて反応開始温度まで加温した。水素添加反応においては、反応温度が異常に高くなると油脂の劣化や反応が制御不能となり製造上危険を伴うため、ヨウ素価の低下が大きい反応においてはオートクレーブのジャケットへ冷却水を流すことにより反応温度上昇を抑え、ヨウ素価の低下が小さい反応においては冷却せずに表１に記載の各種条件で水素添加反応を行い、硬化油を作成した。得られた硬化油のヨウ素価、トランス酸量を表１中に示した。
【００５６】
【表１】
2011162744.tif 000005
【００５７】
表１の結果からも明らかなように、冷却水を流すことにより油脂温度上昇率を０．１２〜０．５に調整し、かつ反応の温度を６０〜７５℃に調整して製造した実施例１〜８の硬化油では、トランス酸含有量は１．６〜１２．８％の範囲で低く優れた硬化油となった。
【００５８】
一方、反応温度が所定範囲を超える高温であり、かつヨウ素価の１単位当りの油脂温度上昇率が所定値より高い比較例１、２では、トランス酸含有量は１３．４〜３９．１％という高い硬化油であった。
【００５９】
［実施例９］
実施形態にて説明した製造装置にて水素添加を行った。原料油脂として精製パーム油（ヨウ素価： ５１．５ 、トランス酸：０．２％)７ｔをオートクレーブに仕込み、フレーク状のニッケル触媒（堺化学株式会社製：ＳＯ−７５０）を所定量加えて反応開始温度まで加温した。水素添加反応は、表２中に記載した所定の反応温度内その他の条件で反応するように、オートクレーブの冷却コイルへあらかじめ１０℃に冷却された冷却水を流し、それでも不充分な場合は加圧状態にある水素圧を低下させる調整をすることによって反応速度を調整し、このような厳密な温度管理の下で水素添加反応を行って硬化油を作成した。得られた硬化油のヨウ素価、トランス酸量を表２中に併記した。
【００６０】
［比較例３］
原料油脂として実施例９と同じ精製パーム油（ヨウ素価：５１．５ 、トランス酸：０．２％）７ｔをオートクレーブに仕込み、フレークニッケル触媒（ＳＯ−７５０ ：堺化学株式会社製）を所定量加えて反応開始温度まで加温した。水素添加反応は、ヨウ素価の低下が小さい反応であったため、冷却を行わずに表２中に記載した反応温度その他の各種条件で行なって硬化油を製造した。得られた硬化油のヨウ素価、トランス酸量を表２中に併記した。
【００６１】
【表２】
2011162744.tif 000006
【００６２】
表２の結果からも明らかなように、冷却熱量および水素供給量の両方を調整することにより油脂温度上昇率を０．５に調整し、かつ反応の温度を７０〜７４℃に調整して製造した実施例９の硬化油は、トランス酸含有量は２．５％で低く優れた硬化油となった。
【００６３】
一方、反応温度が所定範囲を超える１４０〜１５６℃という高温であり、かつヨウ素価の１単位当りの油脂温度上昇率が１．７であって所定値の０．５より高い比較例３では、トランス酸含有量は１１．５％という高い硬化油であった。
【符号の説明】
【００６４】
１  油脂の供給路
２  触媒の供給路
２ａ  ホッパー
３  冷却コイル
４  チリングユニット
５  冷却器
６  水素の供給路
７  反応容器
８  攪拌装置
９  温度センサー
１０  圧力センサー
１１  電子コントローラ
１２  真空ポンプ
１３  水素流量計
１４  水素カウンター
１５  流量調整弁
１６  水素吹き込み管
１７  循環ポンプ
【図１】
2011162744.tif 000007
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
全脂肪酸１００重量％に多価不飽和酸量を３０重量％以下含有する油脂に対し、ニッケル触媒の存在下で水素添加反応を行なう水素添加油脂の製造方法において、
前記水素添加反応の温度が６０〜７５℃でありかつ前記水素添加反応で低下するヨウ素価の１単位当りの油脂温度上昇率が０．５以下であるように、水素添加反応系に対する冷却熱量の調整および水素添加反応系に対する水素供給圧力を０．５Ｍｐ以下にする水素供給量の調整をすることを特徴とする水素添加油脂の製造方法。
【請求項２】
全脂肪酸１００重量％に多価不飽和酸量を３０重量％以下含有する油脂が、牛脂、ラード、鶏脂、パーム油、分別パーム油、ハイオレイン菜種油およびハイオレインヒマワリ油から選ばれる１種以上の油脂である請求項１に記載の水素添加油脂の製造方法。
【請求項３】
請求項１または２に記載の水素添加油脂の製造方法において、
水素添加反応で増加するトランス酸の量が、前記水素添加反応で低下するヨウ素価の１単位当り０．２５重量％以下であるように冷却熱量の調整および水素添加反応系に対する水素供給圧力を０．５Ｍｐ以下にする水素供給量の調整をする水素添加油脂の製造方法。
【請求項４】
多価不飽和酸量を含む油脂の供給路および触媒の供給量を調整可能な供給路が接続された耐圧性の反応容器を設け、この反応容器に攪拌装置を付設して攪拌しながら水素添加反応を連続的に行なわせて、請求項１に記載の水素添加油脂の製造方法に用いる水素添加油脂の製造装置において、
この製造装置に、前記反応容器内の温度を感知する温度センサーおよびこれに接続された電子制御手段を設け、この電子制御手段により冷却器の冷媒流量を制御して反応容器からの冷却熱量を調整可能としたことを特徴とする水素添加油脂の製造装置。
【請求項５】
請求項４に記載の水素添加油脂の製造装置において、
前記電子制御手段を反応容器への水素供給装置にも接続することにより、前記電子制御手段で冷却器の冷媒流量を制御する主調整に加えて前記水素供給装置の水素供給量を制御する補助調整を可能としたことを特徴とする水素添加油脂の製造装置。
【手続補正２】
【補正対象書類名】明細書
【補正対象項目名】００６１
【補正方法】変更
【補正の内容】
【００６１】
【表２】
2011162744.tif 000008
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
全脂肪酸１００重量％に多価不飽和酸量を３０重量％以下含有する油脂に対し、ニッケル触媒の存在下で水素添加反応を行なう水素添加油脂の製造方法において、
前記水素添加反応の温度が６０〜７５℃でありかつ前記水素添加反応で低下するヨウ素価の１単位当りの油脂温度上昇率が０．２２〜０．５であるように、水素添加反応系に対する冷却熱量の調整および水素添加反応系に対する水素供給圧力を０．５Ｍｐ以下にする水素供給量の調整をすることを特徴とする水素添加油脂の製造方法。
【請求項２】
全脂肪酸１００重量％に多価不飽和酸量を３０重量％以下含有する油脂が、牛脂、ラード、鶏脂、パーム油、分別パーム油、ハイオレイン菜種油およびハイオレインヒマワリ油から選ばれる１種以上の油脂である請求項１に記載の水素添加油脂の製造方法。
【請求項３】
請求項１または２に記載の水素添加油脂の製造方法において、
水素添加反応で増加するトランス酸の量が、前記水素添加反応で低下するヨウ素価の１単位当り０．２５重量％以下であるように冷却熱量の調整および水素添加反応系に対する水素供給圧力を０．５Ｍｐ以下にする水素供給量の調整をする水素添加油脂の製造方法。
【手続補正２】
【補正対象書類名】明細書
【補正対象項目名】００４８
【補正方法】変更
【補正の内容】
【００４８】
［実施例１〜４、６、７］
容量２リットルの反応容器（以下、オートクレーブと称する。）に原料油脂１ｋｇを仕込み、フレーク状のニッケル触媒（堺化学株式会社製：ＳＯ−７５０、ＳＯ−４５０）を所定量加えて反応開始温度まで加温した。水素添加反応においては、表１中に示す所定の反応温度範囲内にて反応させるために、オートクレーブのジャケットへ冷却水を流し、表１中に示す反応温度範囲、温度上昇率などの反応条件における水素添加反応を厳密な管理下で行なって硬化油を製造し、得られた硬化油のヨウ素価およびトランス酸含量を表１中に併記した。
【手続補正３】
【補正対象書類名】明細書
【補正対象項目名】００５６
【補正方法】変更
【補正の内容】
【００５６】
【表１】
2011162744.tif 000009
【手続補正４】
【補正対象書類名】明細書
【補正対象項目名】００５７
【補正方法】変更
【補正の内容】
【００５７】
表１の結果からも明らかなように、冷却水を流すことにより油脂温度上昇率を０．２２〜０．５に調整し、かつ反応の温度を６０〜７５℃に調整して製造した実施例１〜４、６、７の硬化油では、トランス酸含有量は１．６〜４．１％の範囲で低く優れた硬化油となった。